(57)【要約】      （修正有）【課題】  電装基板の電磁的な遮蔽のために多数のネジを用いていたのを止め、取り付け／取り外しの操作性がよく、しかも、電磁波の遮蔽が良好な画像形成装置を提供する。【解決手段】  電装ユニット６０を回転により着脱可能とするとともに、回転軸６５をスライド可能にし、フック部材６４で電装ユニットを装置本体に固定する。【選択図】  図４
2006142691.tif 000002
【特許請求の範囲】
【請求項１】
電装基板を支持する導電性枠体、
該導電性枠体に設けられた軸、
前記軸を２位置間で移動可能に支持し、該２位置のうちの一方の位置において前記軸を回転可能に支持する支持部材及び、
前記導電性枠体に設けられ、前記軸が前記２位置のうちの他方の位置にあるときに、前記導電性枠体を画像形成装置本体に係止する複数の導電性のフック部材又はフック穴、
を有することを特徴とする画像形成装置。
【請求項２】
前記支持部材は前記軸を前記一方の位置に、離脱可能に保持する保持部材を有することを特徴とする請求項１に記載の画像形成装置。
【請求項３】
前記導電性枠体は、前記電装基板を包囲する筺状の形態を有することを特徴とする請求項
又は請求項２に記載の画像形成装置。
【請求項４】
前記軸に束線が通っていることを特徴とする請求項１〜３のいずれか１項に記載の画像形成装置。
【請求項５】
前記導電性枠体は、駆動部の外側に設けられたことを特徴とする請求項１〜４のいずれか１項に記載の画像形成装置。
【請求項６】
前記電装基板は、システム制御回路及び画像処理回路を有することを特徴とする請求項１〜５のいずれか１項に記載の画像形成装置。
【発明の詳細な説明】
【技術分野】
【０００１】
本発明は複写機、プリンタ、ファクシミリ、これらの機能を合わせ持つ複合機等の画像形成装置に関し、特に、画像形成装置における電装基板の支持構造に関する。
【背景技術】
【０００２】
画像形成装置、特にデジタル画像形成装置は、モータ、クラッチ等の駆動体の制御回路、画像信号をデジタル処理する画像処理回路、装置内通信及び外部機器との間の通信を行う通信回路、システム制御回路等の各種の制御回路を有し、これらの回路は電装基板に集中して組み付けられ、１個の又は複数の電装基板が画像形成装置に組み付けられる。
【０００３】
電装基板を装置本体に組み付ける方式としては、幾つかあるが、代表的なものとしては、ネジ止め方式、フック部材を用いたスライド方式等がある。
【０００４】
特許文献１では、軸を中心に回転可能に電装ケースを取り付けて、メンテナンス性を向上したものが開示されている。
【特許文献１】特開２００４−２４９６３３号公報
【発明の開示】
【発明が解決しようとする課題】
【０００５】
電装基板の支持構造が有する機能の一つは、電磁波の遮蔽である。このために電装基板は、導線性板部材からなる箱状の枠体内に収納されて取り付けられるが、導電性板部材内に電装基板を収納するだけでは電磁波の遮蔽には十分ではなく、導電性板部材を良好にアースする必要がある。そしてアースには、導電性板部材を少数の点でアース（装置本体）と導通させただけでは不十分であり、所定配置密度以上に分布した点でアースとの導通をとる必要がある。
【０００６】
ネジ止めによる導電性板部材を取り付け構造では、ネジがアース手段として機能するが、前記のように所定密度以上の点でアースをとる必要があるために、多数のネジでネジ止めする必要が生ずる。このために、装置のメンテナンス等において分解、再組み立てを行う際に、多数のネジの取り外し／再取り付けが必要になり、著しく作業性が悪いという問題がある。
【０００７】
フック部材を用いたスライド方式では、フック部材がアースとして機能し、スライドという単純な操作で、取り外し／取り付けができるので作業性に優れている。しかも、フック部材を多数設けた場合でも作業性が変わらないので、十分に電磁波を遮蔽することができる。
【０００８】
しかしながらスライド方式では、取り外した状態において、電装ユニットが完全に装置本体から切り離されるために、再装着の際の作業性が良くないという問題がある。即ち、多数のフック部材を装置本体のフック穴に係合させる必要があり、この操作が簡単ではないという問題がある。特に、狭い場所で取り外し／再取り付けを行う場合には、困難な作業となる。また、装置本体と電装基板との間が束線で連結されている場合には、束線の連結を完全に解除した後に、電装ユニットを取り外す必要があり、作業が面倒である。
【０００９】
特許文献１の回転により電装基板を取り出す方式でも、電磁波の遮蔽のためのアースには、多数の点でネジ止めする必要があり、作業性がよくないという問題は解消されていない。
【００１０】
本発明は、従来の電装基板の取り付け構造における前記の問題を解決することを目的として、取り付け／取り外しの操作性がよく、しかも、電磁波の遮蔽が良好な画像形成装置を提供することを目的とする。
【課題を解決するための手段】
【００１１】
前記目的は、下記の（請求項）に記載した発明のいずれかにより達成される。
（請求項１）
電装基板を支持する導電性枠体、
該導電性枠体に設けられた軸、
前記軸を２位置間で移動可能に支持し、該２位置のうちの一方の位置において前記軸を回転可能に支持する支持部材及び、
前記導電性枠体に設けられ、前記軸が前記２位置のうちの他方の位置にあるときに、前記導電性枠体を画像形成装置本体に係止する複数の導電性のフック部材又はフック穴、
を有することを特徴とする画像形成装置。
（請求項２）
前記支持部材は前記軸を前記一方の位置に、離脱可能に保持する保持部材を有することを特徴とする請求項１に記載の画像形成装置。
（請求項３）
前記導電性枠体は、前記電装基板を包囲する筺状の形態を有することを特徴とする請求項
又は請求項２に記載の画像形成装置。
（請求項４）
前記軸に束線が通っていることを特徴とする請求項１〜３のいずれか１項に記載の画像形成装置。
（請求項５）
前記導電性枠体は、駆動部の外側に設けられたことを特徴とする請求項１〜４のいずれか１項に記載の画像形成装置。
（請求項６）
前記電装基板は、システム制御回路及び画像処理回路を有することを特徴とする請求項１〜５のいずれか１項に記載の画像形成装置。
【発明の効果】
【００１２】
請求項１〜６の発明のいずれかにより、フック部材を用いたスライド方式により、電装ユニットを取りつけているので、電装ユニットの着脱操作が容易であり、しかも、電磁波の遮蔽に必要なアースをとることが出来る。また、取り外し時に、電装ユニットが完全に装置本体から離脱することなく、軸で支持されているので、再装着の作業性がきわめて良い。更に、電装ユニットと放置本体とを接続している束線の接続を保持したまま電装ユニットを取り外すことも可能であるので、電装ユニットを取り外した状態で行われる、装置内部の駆動部等の補修、調整の作業性が著しく向上する。
【００１３】
請求項４の発明により、電装ユニットを取り外した状態でも電装ユニットと装置本体との間の電気的な接続が維持されるので、内部を開放して装置を作動させる調整、補修等において、接続の遮断、再接続等の作業を省略することが可能となり、作業性が向上する。
【００１４】
請求項６の発明により、電磁波を発生する回路を良好に遮蔽することが可能になり、十分な電磁波漏れ防止が可能となる。
【発明を実施するための最良の形態】
【００１５】
図１は本発明の実施の形態に係る画像形成装置の全体構成を示す概略図である。
【００１６】
画像形成装置は、原稿自動搬送装置１０、画像読取部２０、画像形成部３０及び後処理装置４０で構成される。自動原稿搬送装置１０は原稿を１枚づつ搬送する搬送装置であり、画像読取部２０は画像を読み取って画像信号を生成する装置であり、画像形成部３０は、電子写真方式、インクジェット方式、感熱方式等の画像形成方式により記録材に画像を形成する装置であり、後処理装置４０は画像が形成された記録材に対して、ステープル、穿孔、折り畳み等の後処理を行う装置である。
【００１７】
図２は画像形成装置における電装基板取り付け部の概略断面を示し、電装ユニット６０は画像形成装置の背面部、即ち、図１における紙面奥側に点線で示すように配置され、図２に示すように、画像形成装置の最奥側に配置される。電装ユニット６０に対して、図１における図２における右側、図１における紙面手前側には、駆動部５０が配置される。駆動部５０はモータ（図示せず）から、画像形成部３０を構成する感光体、現像装置、定着装置、搬送装置等に動力を伝達する歯車列、ベルト、チェーンで構成される。
【００１８】
図３は電装ユニット６０を示す。電装ユニット６０は天板６１１、底板６１２、前後側板６１３、６１４及び左右側板６１５、６１６からなる筺状の金属からなる導電性枠体６１及び導電性枠体６１内に収容された電装基板６２、６３を有する。本例では、電装基板６２は通信制御回路を含むシステム制御回路が搭載された基板であり、電装基板６３は画像処理回路が搭載された基板である。なお、駆動制御回路等の他の回路も電装ユニット６０内に設けることができるが、後に説明するように、電磁波の遮蔽を行う電装ユニット６０内には、電磁波を発生するシステム制御回路及び画像処理回路を電像基板ユニット６０内に設けることが好ましい。なお、図３では、矢印Ｗで示す方向が電装ユニット６０の上方である。
【００１９】
図４、５は電装ユニット６０の上面図である。
【００２０】
図４、５における導電性枠体６１の左端部には、軸６５が設けられとともに、複数のフック部材６４が上辺、即ち、図３における導電性枠体６１の後側面６１４に設けられる。２は画像形成装置本体の枠１に固定された支持部材であり、軸６５は支持部材２に設けた長穴２Ａに嵌入し、支持部材２により支持される。
【００２１】
図４は電装ユニット６０を装置本体から取り外す状態を示し、図５は電装ユニット６０が装置本体に装着された状態を示す。
【００２２】
電装ユニット６０の着脱時には、軸６５は長穴２Ａの右端に位置しており、電装ユニット６０が軸６５を中心に回転可能である。図４の６０Ａで示す状態に電装ユニット６０を開いて、画像形成装置の背面部、即ち、図２における駆動部５０を開放することにより、駆動部５０等の補修、調整等を行うことができる。
【００２３】
電装ユニット６０を画像形成装置に装着するときには、先ず、６０Ａの状態から６０Ｂの状態に電装ユニット６０を回転させて、フック部材６４を枠１に設けられたフック穴１Ａに進入させる。
【００２４】
次に、電装ユニット６０を図５のように、水平に左方向にスライドさせて、軸６５を長穴２の左端まで移動させる。このスライドにより、フック部材６４がフック穴１Ａに係合し、電装ユニット６０が枠１に固定される。
【００２５】
フック部材６４は導電性枠体６１を曲げ加工することにより形成されており、導電性の板部材からなる枠１にフック部材６４が係合することにより、導電性枠体６１と枠１とが電気的に導通し、導電性枠体６１がアースされる。
【００２６】
フック部材６４は、電磁波の遮蔽に必要な配置密度で設けられており、図５のように、電装ユニット６０を枠１に固定した状態で、電磁波の遮蔽が十分に行われる。
【００２７】
なお、図示の例では、フック部材６４を電装ユニット６０に設けたが、フック部材６４を装置本体の枠１側に設け、電装ユニット６０側にフック部材６４に係合するフック穴を設けてもよい。
【００２８】
図６は支持部材２の拡大図である。長穴２Ａにおいて、軸６５が回転する右端部には、軸６５を端位置に保持する保持部材３が設けられる。保持部材３は弾性部材で構成されており、軸６５を長穴２Ａの右端に保持するが、弾性に打ち勝つ力を加えることにより、右端位置から離脱して、軸６５が左方に移動し、図５の状態となる。
【００２９】
図７は保持部材３の例を示す。図７（ａ）では保持部材３が板バネで構成され、その右端部の屈曲部で軸６５を保持する。図７（ｂ）の例では、保持部材３が樹脂で構成され、右端部の突起で軸６５を保持する。
【００３０】
なお、軸６５を中空のパイプで構成し、図８に示すように軸６５内に束線６６を通す構成とすることが出来る。束線６６により、電装ユニット６０と装置本体間の電流や信号の伝送を行うことにより、電装ユニット６０の取り外しの際に、束線６６による導通を保持することが可能となり、メンテナンスの作業性が向上するとともに、メンテナンス時の調整のために、電装ユニット６０の着脱の前後において、電気接続の遮断、再導通等の手間が省略されて作業性が向上する。
【図面の簡単な説明】
【００３１】
【図１】本発明の実施の形態に係る画像形成装置の全体構成を示す概略図である。
【図２】画像形成装置における電装基板取り付け部の概略断面を示す図である。
【図３】電装ユニットを示す斜視図である。
【図４】電装ユニットの上面図である。
【図５】電装ユニットの上面図である。
【図６】支持部材の拡大図である。
【図７】保持部材の例を示す図である。
【図８】軸の断面図である。
【符号の説明】
【００３２】
１Ａ  フック穴
６０  電装ユニット
６１  導電性枠体
６４  フック部材
６５  軸
２  支持部材
２Ａ  長穴
【図１】
2006142691.tif 000003
【図２】
2006142691.tif 000004
【図３】
2006142691.tif 000005
【図４】
2006142691.tif 000006
【図５】
2006142691.tif 000007
【図６】
2006142691.tif 000008
【図７】
2006142691.tif 000009
【図８】
2006142691.tif 000010